(57)【要約】【課題】  減震構造躯体【解決手段】  鉄骨１をゴム４で被覆する鉄骨ゴム造りの一体構造躯体５、鉄骨１と鉄筋２をゴム４で被覆する鉄骨鉄筋ゴム造りの一体構造躯体５、鉄筋２をゴム４で被覆する鉄筋ゴム造りの一体構造躯体５、木柱６をゴム４で被覆する木柱ゴム造りの一体構造躯体５、鉄骨１をコンクリート３で固め、これをゴム４で被覆する鉄骨コンクリートゴム造りの一体構造躯体５、鉄骨１及び鉄筋２をコンクリート３で固め、これをゴム４で被覆する鉄骨鉄筋コンクリートゴム造りの一体構造躯体５、鉄筋２をコンクリート３で固め、これをゴム４で被覆する鉄筋コンクリートゴム造りの一体構造躯体５、木柱６及び鉄筋２をゴム４で被覆する木柱鉄筋ゴム造りの一構造躯体５を構成することを特徴とする。【選択図】図１
2008008123.tif 000002
【特許請求の範囲】
【請求項１】
鉄骨１をゴム４で被覆する鉄骨１、ゴム４造りの一体構造躯体５。
【請求項２】
上記１の請求に、鉄筋２を加えて配置し、これをゴム４で被覆する鉄骨１、鉄筋２、ゴム４造りの一体構造躯体５。
【請求項３】
鉄筋２をゴム４で被覆する鉄筋２、ゴム４造りの一体構造躯体５。
【請求項４】
木柱６をゴム４で被覆する木柱６、ゴム４造りの一体構造躯体５。
【請求項５】
上記１の請求に於ける鉄骨１をコンクリート３で固め、これをゴム４で被覆する鉄骨１、コンクリート３、ゴム４造りの一体構造躯体５。
【請求項６】
上記２の請求に於ける、鉄骨１及び鉄筋２をコンクリート３で固め、これをゴム４で被覆する鉄骨１、鉄筋２、コンクリート３、ゴム４造りの一体構造躯体５。
【請求項７】
上記３の請求に於いて、鉄筋２をコンクリート３で固め、これをゴム４で被覆する鉄筋２、コンクリート３、ゴム４造りの一体構造躯体５。
【請求項８】
上記４の請求に於ける木柱６に鉄筋２を加えて配置し、これをゴム４で被覆する木柱６、鉄筋２、ゴム４造りの一体構造躯体５。
【発明の詳細な説明】
【技術分野】
【０００１】本発明は地震等によって建築構造物が揺さぶられる時、建築構造物の骨格に相当する躯体に加わる地震エネルギーを吸収軽減する減震構造躯体に関するものである。
【背景技術】
【０００２】地震による建築構造物の揺れを吸収し、人々が抱く恐怖心を若干でも軽減する建築構造物が近年益々望まれるている。
【発明の開示】
【発明が解決しようとする課題】
【０００３】本発明は地震エネルギーを吸収軽減するために、防振ゴム等で建築構造物の躯体を被覆し、ゴムとの一体構造躯体を構成するものである。
【課題を解決するための手段】
【０００４】上記の目的を達成する本発明の減震構造躯体の構成は鉄骨をゴムで被覆する鉄骨ゴム造りの一体構造躯体である。【０００５】上記〔０００４〕の実施例に、鉄筋を加えて配置し、これをゴムで被覆する鉄骨鉄筋ゴム造りの一体構造躯体である。【０００６】他の実施例に於いては、鉄筋をゴムで被覆する鉄筋ゴム造りの一体構造躯体である。【０００７】更に他の実施例に於いては、木柱をゴムで被覆する木柱ゴム造りの一体構造躯体である。【０００８】更に他の実施例に於いては、上記〔０００４〕の実施例に於ける鉄骨をコンクリートで固め、これをゴムで被覆する鉄骨コンクリートゴム造りの一体構造躯体である。【０００９】更に他の実施例に於いては、上記〔０００５〕の実施例に於ける鉄骨鉄筋をコンクリートで固め、これをゴムで被覆する鉄骨鉄筋コンクリートゴム造りの一体構造躯体である。【００１０】更に他の実施例に於いては、上記〔０００６〕の実施例に於ける鉄筋をコンクリートで固め、これをゴムで被覆する鉄筋コンクリートゴム造りの一体構造躯体である。【００１１】更に他の実施例に於いては、上記〔０００７〕の実施例に、鉄筋を加えて配置し、これをゴムで被覆する木柱鉄筋ゴム造りの一体構造躯体である。
【発明の効果】
【００１２】上記のように本発明によれば、建築構造物の躯体部を被覆するゴムによる地震エネルギーの吸収軽減、更に躯体損壊の回避が計れる等の利点がある。
【発明を実施するための最良の形態】
【００１３】以下に、本発明の実施形態を図面に基づき詳細に説明する。
図１〜図８は本発明の各実施形態に於ける減震構造躯体に関するものである。
更に、添付写真として、本発明の説明に不可欠な振動減衰及び躯体損壊回避の根拠として類似物の比較振動試験、即ち、ベローズカップリングのゴム被覆製と非ゴム製、の写真を参考添付する。これは出願人が過去に行った実験であり、他者から引用叉は借用したものではない。【００１４】図１に示すように、鉄骨１をゴム４で被覆する鉄骨１、ゴム４造りの一体構造躯体５に於いて、地震時にかかる鉄骨１の振動エネルギーをゴム４が吸収し、振動を軽減させて、一体構造躯体５の損壊を回避する。【００１５】図２に示すように、〔００１４〕に鉄筋２を加えて配置し、これをゴム４で被覆する鉄骨１、鉄筋２、ゴム４造りの一体構造躯体５に於いて、地震時にかかる鉄骨１、鉄筋２の振動エネルギーをゴム４が吸収し、振動を軽減させて、一体構造躯体５の損壊を回避する。【００１６】図３に示すように、鉄筋２をゴム４で被覆する鉄筋２、ゴム４造りの一体構造躯体５に於いて、地震時にかかる鉄筋２の振動エネルギーをゴム４が吸収し、振動を軽減させて、一体構造躯体５の損壊を回避する。【００１７】図４に示すように、木柱６をゴム４で被覆する木柱６、ゴム４造りの一体構造躯体５に於いて、地震時にかかる木柱６の振動エネルギーをゴム４が吸収し、振動を軽減させて、一体構造躯体５の損壊を回避する。【００１８】図５に示すように、〔００１４〕の鉄骨１をコンクリート３で固め、これをゴム４で被覆する鉄骨１、コンクリート３、ゴム４造りの一体構造躯体５に於いて、地震時にかかる鉄骨１、コンクリート３の振動エネルギーをゴム４が吸収し、振動を軽減させて、一体構造躯体５の損壊を回避する。【００１９】図６に示すように、〔００１５〕の鉄骨１、鉄筋２をコンクリート３で固め、これをゴム４で被覆する鉄骨１、鉄筋２、コンクリート３、ゴム４造りの一体構造躯体５に於いて、地震時にかかる鉄骨１、鉄筋２、コンクリート３の振動エネルギーをゴム４が吸収し、振動を軽減させて、一体構造躯体５の損壊を回避する。【００２０】図７に示すように、〔００１６〕の鉄筋２をコンクリート３で固め、これをゴム４で被覆する鉄筋２、コンクリート３、ゴム４造りの一体構造躯体５に於いて、地震時にかかる鉄筋２、コンクリート３の振動エネルギーをゴム４が吸収し、振動を軽減させて、一体構造躯体５の損壊を回避する。【００２１】図８に示すように、〔００１７〕の木柱６に鉄筋２を加えて配置し、これをゴム４で被覆する木柱６、鉄筋２、ゴム４造りの一体構造躯体５に於いて、地震時にかかる木柱６、鉄筋２の振動エネルギーをゴム４が吸収し、振動を軽減させて、一体構造躯体５の損壊を回避する。【００２２】地震エネルギーは建築構造物全体を揺さぶる。地震動は下層階の躯体、壁面及び床面から最上階迄瞬時に到達するので、減震対策としては振動伝播速度を上回る躯体振動の減衰速さが必要となる。【００２３】添付写真の写真２〜写真４のベローズカップリングのゴム被覆製と非ゴム製の比較振動実験に於ける両者の振動減衰速さをみると、非ゴム製に於ける減衰速さは概略１秒を超えるが、ゴム被覆製の減衰速さは概略０．１秒以内である。振動実験中のゴム被覆製試験品は共振しても、急速に減衰する結果、共振の写真化が不可能であった。比較振動実験は振動吸収特性を有するゴムが振動の減衰速さと深く関係していることを裏付けている。【００２４】ゴムを被覆して構成する本発明の一体構造躯体は建築構造物の躯体振動に於いても急速減衰を可能にし、躯体損壊も回避する減震構造躯体である。
【実施例】
【００２５】以上に本発明の実施形態及び実施例を説明したが、本発明の範囲はこれに限定されない。本発明の減震構造躯体は様々に構成できる。形状、構造、構成材料等の全ては状況に応じて適宜選択するので、本発明に限定されるものではなく、任意に選定できる。【００２６】振動減衰特性に優れたゴム及びゴム以外の他の材料を使用する減衰構成も本発明の減震構造躯体に当然に含まれるものである。
【産業上の利用可能性】
【００２７】本発明は全国各地で利用できる。
【図面の簡単な説明】
【００２８】
【図１】本発明の実施形態に於ける一体構造躯体の部分断面図である。
【図２】本発明の第二実施形態に於ける一体構造躯体の部分断面図である。
【図３】本発明の第三実施形態に於ける一体構造躯体の部分断面図である。
【図４】本発明の第四実施形態に於ける一体構造躯体の部分断面図である。
【図５】本発明の第五実施形態に於ける一体構造躯体の部分断面図である。
【図６】本発明の第六実施形態に於ける一体構造躯体の部分断面図である。
【図７】本発明の第七実施形態に於ける一体構造躯体の部分断面図である。
【図８】本発明の第八実施形態に於ける一体構造躯体の部分断面図である。
【符号の説明】
【００２９】１、    鉄骨
２．    鉄筋
３．    コンクリート
４．    ゴム
５．    一体構造躯体
６．    木柱
【図１】
2008008123.tif 000003
【図２】
2008008123.tif 000004
【図３】
2008008123.tif 000005
【図４】
2008008123.tif 000006
【図５】
2008008123.tif 000007
【図６】
2008008123.tif 000008
【図７】
2008008123.tif 000009
【図８】
2008008123.tif 000010